(57)【要約】【課題】遠方監視制御装置における検定方法としては、５Ｃ２，３Ｃ２検定の２挙動検定となっているため簡易形遠方監視制御装置では経済的でない。【解決手段】１ワードの伝送ポジションの検定用として、１ポジション情報を２ビットコードの組み合わせで伝送する。また、検定のためのコード化は、検定を必要とするポジションのみに適用し、同一ワード内に検定ポジションとビットデータとの混在を可能とした。また、従来ではコード検定の対象外であった表示情報についてもコード検定を行うようにしたものである。【選択図】  図１
2005184871.tif 000002
【特許請求の範囲】
【請求項１】
伝送路にて接続された制御所装置と被制御所装置よりなる遠方監視制御装置であって、制御所装置では被制御機器に対する制御信号をコード化した所定のコードデータに変換し、伝送回路を介して被制御所装置の伝送回路にサイクリック伝送すると共に、被制御所装置では受信信号のコード検定をした後被制御機器に制御信号を出力し、且つ被制御機器の状態表示信号を伝送回路を介して制御所装置にサイクリックに伝送し表示するものにおいて、
前記制御信号のコード化は、検定対象ポジションのみ２ビットコードとしたことを特徴とした遠方監視制御装置の検定方法。
【請求項２】
前記制御所装置における制御信号のコード化は、コード検定対象ポジションのみ２ビットコードとし、前記被制御所装置のコード検定はコード検定対象ポジションのみが検定を受けることを特徴とした請求項１記載の遠方監視制御装置の検定方法。
【請求項３】
前記サイクリックに伝送する同一ワード内に、コード検定対象ポジションと対象外ポジションとを混在させて伝送することを特徴とした請求項１又は２記載の遠方監視制御装置の検定方法。
【請求項４】
前記被制御所装置に入力される表示信号を、検定対象ポジションのみ２ビットコードとしたことを特徴とした請求項１乃至３記載の遠方監視制御装置の検定方法。
【請求項５】
前記被制御所装置における表示信号のコード化は、コード検定対象ポジションのみ２ビットコードとし、前記制御所装置のコード検定はコード検定対象ポジションのみが検定を受けることを特徴とした請求項１乃至４記載の遠方監視制御装置の検定方法。
【請求項６】
前記制御所装置における２ビットコード化は、制御用信号に対する平常状態、閉状態、開状態及び異常状態であることを特徴とした請求項１乃至５記載の遠方監視制御装置の検定方法。
【請求項７】
前記被制御所装置における２ビットコード化は、表示用信号に対する平常状態、閉路状態、開路状態及び異常状態であることを特徴とした請求項４乃至６記載の遠方監視制御装置の検定方法。
【請求項８】
伝送路にて接続された制御所装置と被制御所装置よりなる遠方監視制御装置であって、制御所装置では被制御機器に対する制御信号をコード化した所定のコードデータに変換し、伝送回路を介して被制御所装置の伝送回路にサイクリック伝送すると共に、被制御所装置では受信信号のコード検定をした後被制御機器に制御信号を出力し、且つ被制御機器の状態表示信号を伝送回路を介して制御所装置にサイクリックに伝送し表示するものにおいて、
前記制御所装置にコード検定対象ポジションをコード化する２ビットコード化回路を設け、被制御所装置にコード検定対象ポジションの検定を受ける２ビットコード検定回路を設けたことを特徴とした遠方監視制御装置の検定装置。
【請求項９】
前記被制御所装置にコード検定対象ポジションの表示信号をコード化する２ビットコード検定回路を設け、前記制御所装置にコード検定対象ポジションの検定を受ける２ビットコード検定回路を設けたことを特徴とした請求項８記載の遠方監視制御装置の検定装置。
【発明の詳細な説明】
【技術分野】
【０００１】
本発明は、遠方監視制御装置に係わり、特に１ワードの伝送ポジションが表示・制御項目で１０ポジション未満程度の検定方法とその装置に関するものである。
【背景技術】
【０００２】
サイクリック遠方監視制御装置における伝送情報（伝送符号）の検定方式としては、非特許文献１で示された方式が採用されている。すなわち、図４が同文献で示された１ワード４４ビットのサイクリック伝送フォーマットで、ａがビットデータ（１ビット“ＯＮ”“ＯＦＦ”）で表現される表示情報、ｂは制御情報で重要データについてはｃで示す５Ｃ２コードと、ｄで示す３Ｃ２コードを用いた２挙動方式のコード検定が採用されている。
【０００３】
図３は上記のような検定方式が採用されている遠方監視制御装置の構成図を示したもので、１は制御所装置、２は被制御所装置で両者間は伝送路を介して接続されている。制御所装置１の制御入力回路１１からは表示情報や制御情報が伝送回路１４が送出されるが、その途中の５Ｃ２コード化回路１２及び３Ｃ２コード化回路１３においてそれぞれ図４ｃ，ｄのような検定のためのコード化がなされて伝送回路１４を介して被制御所装置２の伝送回路２４に出力される。この伝送回路２４は、受信した情報を５Ｃ２コード検定回路２２と３Ｃ２コード検定回路２３に送出してコード検定を実行し、誤りがなかった場合に制御出力回路２１に出力して当該機器を制御する。  
【０００４】
一方、被制御機器からの情報は表示入力回路２５に入力され、この入力された情報は伝送回路２４、伝送路及び伝送回路１４を介して表示出力回路１５に出力して当該機器の状態表示が行われる。
【非特許文献１】（社）電気協同研究会発行「電気協同研究」第３１巻、第６号、昭和５１年１月、
【発明の開示】
【発明が解決しようとする課題】
【０００５】
図３で示す遠方監視制御装置の場合、表示・制御情報が１００ポジションを超え、伝送ワード数も１０ワード以上のような比較的大きなシステムにおいては問題ないが、表示・制御情報が５，６ポジションのように比較的小容量の簡易遠方監視制御装置ではコード化回路１２，１３及びコード検定回路２２，２３を設けることは検定用の回路が多くなって経済的は勿論のこと、装置小型化の隘路となっているため、従来においては本来コード検定を用いるべき制御情報も、表示情報と同じビットデータ方式を採用しているのが一般的である。
また、通常はビットデータで伝送する表示情報においても、制御情報のように重要なものが存在する。この場合でも、現状では表示情報のコード化は実施されてなく、システムによっては信頼性にかける問題を有している。
【０００６】
本発明が目的とするところは、１０ポジション以下の比較的小容量の遠方監視制御装置における検定方法とその装置を提供することにある。
【課題を解決するための手段】
【０００７】
本発明の第１は、伝送路にて接続された制御所装置と被制御所装置よりなる遠方監視制御装置であって、制御所装置では被制御機器に対する制御信号をコード化した所定のコードデータに変換し、伝送回路を介して被制御所装置の伝送回路にサイクリック伝送すると共に、被制御所装置では受信信号のコード検定をした後被制御機器に制御信号を出力し、且つ被制御機器の状態表示信号を伝送回路を介して制御所装置にサイクリックに伝送し表示するものにおいて、
前記制御信号のコード化は、検定対象ポジションのみ２ビットコードとしたことを特徴としたものである。
【０００８】
本発明の第２は、前記制御所装置における制御信号のコード化は、コード検定対象ポジションのみ２ビットコードとし、前記被制御所装置のコード検定はコード検定対象ポジションのみが検定を受けることを特徴としたものである。
【０００９】
本発明の第３は、前記サイクリックに伝送する同一ワード内に、コード検定対象ポジションと対象外ポジションとを混在させて伝送することを特徴としたものである。
【００１０】
本発明の第４は、前記被制御所装置に入力される表示信号を、検定対象ポジションのみ２ビットコードとしたことを特徴としたものである。
【００１１】
本発明の第５は、前記被制御所装置における表示信号のコード化は、コード検定対象ポジションのみ２ビットコードとし、前記制御所装置のコード検定はコード検定対象ポジションのみが検定を受けることを特徴としたものである。
【００１２】
本発明の第６は、前記制御所装置における２ビットコード化は、制御用信号に対する平常状態、閉状態、開状態及び異常状態であることを特徴としたものである。
【００１３】
本発明の第７は、前記被制御所装置における２ビットコード化は、表示用信号に対する平常状態、閉路状態、開路状態及び異常状態であることを特徴としたものである。
【００１４】
本発明の第８は、伝送路にて接続された制御所装置と被制御所装置よりなる遠方監視制御装置であって、制御所装置では被制御機器に対する制御信号をコード化した所定のコードデータに変換し、伝送回路を介して被制御所装置の伝送回路にサイクリック伝送すると共に、被制御所装置では受信信号のコード検定をした後被制御機器に制御信号を出力し、且つ被制御機器の状態表示信号を伝送回路を介して制御所装置にサイクリックに伝送し表示するものにおいて、
前記制御所装置にコード検定対象ポジションをコード化する２ビットコード化回路を設け、被制御所装置にコード検定対象ポジションの検定を受ける２ビットコード検定回路を設けたことを特徴としたものである。
【００１５】
本発明の第９は、前記被制御所装置にコード検定対象ポジションの表示信号をコード化する２ビットコード検定回路を設け、前記制御所装置にコード検定対象ポジションの検定を受ける２ビットコード検定回路を設けたことを特徴としたものである。
【発明の効果】
【００１６】
以上のとおり、本発明によれば、遠方監視制御装置の１ワードの伝送ポジション用の検定用として、１ポジション情報を２ビットコードの組み合わせで伝送するようにしたものであるから、従来のような５Ｃ２，３Ｃ２コード検定回路より簡単な回路にて可能となるので、制御・表示情報が１０ポジション以下のような簡易遠方監視制御装置には好適なものとなる。また、検定のためのコード化は、検定を必要とするポジションのみに適用できるものであり、しかも、同一ワード内に検定ポジションとビットデータとの混在が可能となったことにより、必要伝送ワード数を減らすことができる利点を有するものである。更には、検定回路が簡単となったことに伴い、従来ではコード検定の対象外であった表示情報についてもコード検定が容易に可能となる等の効果を有するものである。
【発明を実施するための最良の形態】
【００１７】
図１は本発明の実施例を示したもので、表示情報に対しても検定情報を付した場合の構成図を示したものである。同図において、図３と同一若しくは相当する部位には同一符号を付してその説明を省略する。３は制御所装置で、この装置には後述する２ビットコード化回路３０と２ビットコード検定回路３１が設けられる。２ビットコード検定回路３１は重要な表示情報が存在する場合に設けられもので、表示情報に対してコード検定不要の場合にはこの２ビットコード検定回路３１は除去される。４は被制御所装置で、この装置には２ビットコード検定回路４０と２ビットコード化回路４１が設けられる。２ビットコード化回路４１は３１同様に重要な表示情報が存在する場合に設けられもので、表示情報に対してコード検定が不要の場合には除去される。    
【００１８】
図２は本発明の伝送フォーマットを示したもので、１ワードの伝送ポジション（制御・表示項目で１０ポジション未満）用として１ポジションの情報を２ビットコードの組み合わせで伝送する。
すなわち、ｅは検定なしの場合て、検定なしの場合にはビットデータを伝送する。ｆは検定ありの場合を示したもので２ビットコード化データとなっている。ｇは制御情報の２ビットコードを示したもので、例えば平常は論理００、閉状態ＣＬでは論理１０、開状態ＯＰでは論理０１、異常では論理１１の如く２ビット構成にされる。
また、ｈは表示情報の２ビットコード例を示したもので、例えば平常は論理００、開閉器などのオン状態は論理１０、オフ状態は論理０１、異常は論理１１の如き２ビットコードとなっている。
【００１９】
次にその動作を説明する。
制御卓より入力された信号は制御入力回路１１において制御・表示項目数に対応した所定の信号に変換される。その際、検定を不要とするコード化不要ポジション信号はビットデータとして伝送回路１４に出力され、コード化が必要なポジションのものは２ビットコード化回路３０に送られて図２ｇのような２ビットコード化データに変換されて伝送回路１４に出力される。伝送回路１４ではビットデータと２ビットコードを含む情報として伝送路を介して被制御所装置の伝送回路２４にサイクリック伝送する。
被制御所装置４の伝送回路２４では直／並列変換した後、非コード化ポジション情報はそのまま制御出力回路２１に出力し、また、コード化されたポジションについては２ビットコード検定回路４０に出力してコード検定がなされた後、制御出力回路２１に送出される。したがって、制御出力回路２１には図２で示すようなビットデータとコード化データとの混在されたもの、若しくは当該システムにはコード化不要の場合にはビットデータのみが入力されて所定の被機器に制御命令が出力される。
【００２０】
一方、被制御機器から表示信号が表示入力回路２５に入力されると、この表示入力回路２５はコード化不要なポジションのものについては伝送回路２４に出力し、コード化必要なポジションについては２ビットコード化回路４１に出力し、図２ｈのような２ビットコードデータに変換されて伝送回路２４に送られる。伝送回路２４では入力された信号を並／直変換などの処理を実行し、伝送路を介して制御所装置の伝送回路１４に送出する。伝送回路１４では直／並列変換などの処理を実行した後、非コード化ポジション情報はそのまま制御出力回路１１に出力し、また、コード化されたポジションについては２ビットコード検定回路３１に出力してコード検定がなされた後、表示出力回路１５に送出して被制御機器の状態表示を行う。
【図面の簡単な説明】
【００２１】
【図１】本発明の実施形態を示す機能ブロック図。
【図２】本発明のサイクリック伝送フォーマット図。
【図３】従来の遠方監視制御装置の機能ブロック図。
【図４】従来のサイクリック伝送フォーマット図。
【符号の説明】
【００２２】
１，３…制御所装置  
２，４…被制御所装置  
１１…制御入力回路  
１２…５Ｃ２コード化回路  
１３…３Ｃ２コード化回路  
１４，２４…伝送回路  
１５…表示出力回路  
２１…制御出力回路  
２２…５Ｃ２コード検定回路  
２３…３Ｃ２コード検定回路  
２５…表示入力回路  
３０…２ビットコード化回路  
３１…２ビットコード検定回路  
４０…２ビットコード検定回路  
４１…２ビットコード化回路  
【図１】
2005184871.tif 000003
【図２】
2005184871.tif 000004
【図３】
2005184871.tif 000005
【図４】
2005184871.tif 000006